(57)【特許請求の範囲】
【請求項１】
沈殿槽での沈降促進のため凝集剤の添加量を加減制御するものであり、沈殿槽に供給する汚濁水等の原液の一部を取出管から導いて少量滞留させると共に、下端に連設した戻し管から原液を沈殿槽への供給側に導く計測槽と、計測槽の重量を量る重量計と、計測槽内の液面高さをほぼ一定に保つ液位調節手段と、計測槽の重量値によって原液への凝集剤の添加量を加減調節する凝集剤添加量制御手段とを備えたことを特徴とする原液への凝集剤の添加量制御装置。
【請求項２】
取出管２１から導いた原液を一旦貯留するオーバーフロー５２付き安定槽５を備え、該安定槽５の下端に連設した送液管５１を計測槽６の予定液面位置より下まで垂下させて配置し、該送液管５１に遊嵌させたフロート９０の下に、該送液管５１の下端出口５１０の開口面積を上下動によって可変できる流量調節部材９を連結して液位調節手段とした請求項１の原液への凝集剤の添加量制御装置。
【請求項３】
該送液管５１の下端出口の下位置に、三角錐状の突部９１を上向きに対向突出した流量調節板９２を、連結棒９３で連結配置して流量調節部材９とした請求項２の原液への凝集剤の添加量制御装置。
【発明の詳細な説明】
【０００１】
【発明の属する技術分野】
本発明は、泥砂等の沈殿槽において沈殿物を迅速に沈降させるため原液に添加する凝集剤の添加量を適正に加減調整する制御装置に関するものである。
【０００２】
【従来の技術】
沈殿濃度の測定は、迅速な沈殿物の沈殿凝集を図るため、且つ高価な凝集剤の適正投入量を決定するために必要なものである。優れた沈殿濃度の測定は超音波によるものが正確であるが、高価なため設備高となり実際に使用されていないものである。そこで従来は、沈殿槽から排出された沈殿物の硬化状態、或いは沈殿槽へ供給する原液を掬い取って目測し、凝集剤の添加量を決定していたのである。
【０００３】
【発明が解決しようとする課題】
しかしながら、目測による不正確性、或いは機械測定の場合でも隔時間測定のため即対応できない問題点があった。このため迅速な沈殿凝集が図れず、或いは凝集剤の過大投入となって経費が増加するのである。そこで本発明は、沈殿槽に投入する原液の現在濃度を適正且つ連続的に測定することで凝集剤の添加量を適正に制御できる装置を提供するものである。
【０００４】
【課題を解決するための手段】
このため本発明は、沈殿槽での沈降促進のため凝集剤の添加量を加減制御するものであり、沈殿槽に供給する汚濁水等の原液の一部を取出管から導いて少量滞留させると共に、下端に連設した戻し管から原液を沈殿槽への供給側に導く計測槽と、計測槽の重量を量る重量計と、計測槽内の液面高さをほぼ一定に保つ液位調節手段と、計測槽の重量値によって原液への凝集剤の添加量を加減調節する凝集剤添加量制御手段とを備えた構成の原液への凝集剤の添加量制御装置としている。なお、取出管から導いた原液を一旦貯留するオーバーフロー付き安定槽を備え、該安定槽の下端に連設した送液管を計測槽の予定液面位置より下まで垂下させて配置し、該送液管に遊嵌させたフロートの下に、該送液管の下端出口の開口面積を上下動によって可変できる流量調節部材を連結して液位調節手段としてもよい。また、この場合、該送液管の下端出口の下位置に、三角錐状の突部を上向きに対向突出した流量調節板を、連結棒で連結配置して流量調節部材としてもよい。
【０００５】
【発明の実施の形態】
以下、本発明の詳細を図示した形態例で説明する。図１は凝集剤の添加量制御装置Ｓの形態例を示すものであり、図２のように配置して用いられるものである。即ち、図２において、１は原液槽であり、原液がポンプ送りされて圧送管２１から混和槽２に送られ、凝集剤槽３から送られた凝集剤が混和槽２に添加されて混合され、混合された原液が沈殿槽４に供給されて沈殿し、沈殿物が排出管４１から排出されるのである。なお、凝集剤はインバータモータの回転によって駆動するポンプ３１で凝集剤槽３から供給されるものである。また、本例では原液として、砂を含んだ濁水を用い泥砂を沈殿物として得るものである。
【０００６】
凝集剤の添加量制御装置Ｓは原液槽１からの圧送管２１に分岐して並列に備えられており、圧送管２１から分岐した取出管２２から原液を導き、その原液を一旦貯留する安定槽５と、該安定槽５の下端に連設した送液管５１から原液を取り入れる計測槽６を備えている。安定槽５は保持体５０で固着配置され、オーバーフロー管５２を接続している。
【０００７】
また計測槽６は、一対の保持体７上に固着した両側の重量計８の上にその受板６３を載置して支持され、下端に連設した戻し管６１を圧送管２１に連結している。なお、戻し管６１に絞り弁６２を介在している。
【０００８】
そして、安定槽５の送液管５１を計測槽６の予定液面位置より下まで垂下させて配置し、図１のように、該送液管５１に流量調節部材９を連繋させている。流量調節部材９は、図３のように、該送液管５１にフロート９０を遊嵌させると共に、該送液管５１の下端出口５１０の下位置に三角錐状の突部９１を上向きに対向突出した流量調節板９２をフロート９０の下に連結棒９３で連結配置して成る。
【０００９】
これにより、フロート９０の上下動により流量調節板９２が連動して上下することから突部９１が該送液管５１の下端出口５１０に近接或いは離れてその開口面積を可変することで送液管５１からの流量を調整するのである。
【００１０】
次に本例の作用を説明する。原液供給槽１の圧送管２１から原液が混和槽２に送られると共に、その一部が取出管２２から安定槽５に供給され、送液管５１から計測槽４に取り入れ、さらに戻し管６１から圧送管２１に戻されるのである。
【００１１】
本例で特徴あることは、安定槽５ではオーバーフロー管５２から常時流出することで安定槽５内の原液が常時所定量に保たれることにより、送液管５１からの原液がほぼ定量で計測槽６に供給されるのである。なお、絞り弁６２の調整によって送液管５１からの供給量と戻し管６１からの排出量をほぼ同容量とすることが望ましい。
【００１２】
ここで、送液管５１からの原液供給量と戻し管６１からの原液排出量が相違した場合、かりに戻し管６１からの排出量に比べて送液管５１からの原液供給量が多いと、計測槽６内の液位が上昇するため、それにつれてフロート９０が上昇することから流量調節板９２が連動して上昇し、突部９１が該送液管５１の下端出口５１０に近接してその開口面積を減少することで送液管５１からの流量を少なくするのである。
【００１３】
逆に、戻し管６１からの排出量に比べて送液管５１からの原液供給量が少ないと、計測槽６内の液位が下がるため、それにつれてフロート９０が降下することから流量調節板９２が連動して下降し、突部９１が該送液管５１の下端出口５１０から離れてその開口面積を広くすることで送液管５１からの流量を多くするのである。
【００１４】
このように、液面変動によるフロート９０の浮遊によって流量調節板９２の上下動で送液管５１からの流量を調整できるため、これらを液位調節手段として計測槽６内の液面高さをほぼ一定に保つことができるのである。なお、絞り弁６２の調整によって戻し管６１からの排出量と送液管５１からの取り入れ量をほぼ同容量とすることができるため、この流量調部材９による供給流量調整はわずかな変動にすぎないものである。これにより、計測槽６内の液面は常時ほぼ所定の同一高さに保たれるのである。
【００１５】
そして、この所定位置に液位がある状態で重量計８で計測槽６の重量を量るのであり、この重量値から計測槽６内の原液濃度が実験的に判定できるものである。即ち、得られた重量値から空の計測槽６自体を差し引いた重量値が砂を含んだ原液の重量であり、この重量値において予めの測定で現在の泥砂の濃度が判定されるのである。
【００１６】
この場合、この重量値が大きくなることは計測槽６内の泥砂量が多くなっていることであり、同時に混和槽２に供給される原液の砂量が多くなっていることである。したがってこの場合は、該重量値の変動を検知信号によりモータに伝達してその回転を早くし、ポンプ３１による凝集剤の混和槽２への添加量を多くするのである。
【００１７】
また、この重量値が小さくなることは計測槽６内の泥砂量が少なくなっていることであり、同時に混和槽２に供給される砂量が少なくなっていることである。したがってこの場合は、該重量値の変動を検知信号によりモータに伝達してその回転を遅くし、ポンプ３１による凝集剤の混和槽２への添加量を少なくするのである。
【００１８】
このように、常時重量計８による計測槽６の重量値の変動を連続的に検知して混和槽２への凝集剤の添加量を加減する凝集剤量制御手段により、原液に含まれる砂等の沈殿物量に応じた適正な量の凝集剤を混和槽２に添加できるのである。なお、この場合、常時計測槽６内の原液量が一定であることを要するものであるが、前記したように、流量調節部材９による流量調整によって計測槽６内の液面高さをほぼ一定に保つことができるのである。したがって混和槽２で凝集剤を適量添加され撹拌された原液が沈殿槽４に供給されて良好な沈殿が行われるのである。
【００１９】
本形態例は上記の構成としたが、本発明においてはこれに限定されない。例えば、計測槽の形状や容量は問わず、原液をサンプル的に取り入れできればよい。また、計測槽の重量を量る重量計の種類、構成も問わない。なお、計測槽の重量を量るために計測槽を保持する構成も限定されない。
【００２０】
さらに、計測槽内の液面高さをほぼ一定に保つ液位調節手段も適宜であり、液面計を備えて原液供給量を制御する構成でもよい。また、計測槽の重量値の変動検知によって凝集剤の添加量を加減調節する凝集剤量制御手段も任意である。なお、凝集剤の種類や添加手段も限定されず、凝集剤を直接沈殿槽に、或いは沈殿槽への原液供給管に添加させるものでもよい。さらに、計測槽の戻し管からの原液を直接沈殿槽に導いてもよい。
【００２１】
なお、安定槽を備える場合は、安定槽の形状、或いはその下端に連設する送液管の長さや形状も限定されず、また液位調節手段としてフロートを用いる流量調節部材を備える場合は、フロートの形状や材質及び取り付け手段も適宜である。
【００２２】
【発明の効果】
本発明の請求項１によると、常時、原液の一部を取り出した計測槽の重量値の変動を連続的に検知することで原液の現在濃度を計測し、これに応じた適正な量の凝集剤を原液に添加できるのであり、良好な凝集沈殿となると共に、高価な凝集剤の適正使用が図れるのである。また請求項２では、フロートと流量調整構成の併用で計測槽内の液面高さを簡単にほぼ一定に保つことができるのである。さらに請求項３では、簡単な流量調整構成となって計測槽内の液面高さを簡単にほぼ一定に保つことができるのである。
【図面の簡単な説明】
【図１】本発明の形態例を示す一部切欠した斜視図である。
【図２】本発明の形態例を備えた沈殿システムの概略図である。
【図３】その液位調節手段の要部を示す拡大縦断面図である。
【符号の説明】
１    原液槽
２    混和槽
２１  圧送管
２２  取出管
３    凝集剤槽
３１  ポンプ
４    沈殿槽
５    安定槽
５１  送液管
５２  オーバーフロー管
６    計測槽
６１  戻し管
８    重量計
９    流量調節部材
９０  フロート
９１  突部
９２  流量調節板
【図１】
0003631872.tif 000002
【図２】
0003631872.tif 000003
【図３】
0003631872.tif 000004